(57)【要約】【課題】映像表示装置の設置の際の利用者の負荷を低減する。【解決手段】制御部はＯＳＤ処理部を制御し、言語を選択させる一覧画面を表示させる（Ｓ４）。利用者は、この画面を見て、一つの言語を選択する（Ｓ５：言語選択工程）。その後、制御部は、この入力された言語情報に対応する取扱説明書を表示する（Ｓ７：取扱説明書表示工程）。制御部は、この言語に対応した国情報、放送インフラ情報を、メモリに記憶された各国情報から読み出す（Ｓ９）。その後、読み出された国情報、放送インフラ情報に基づいた初期設定情報を表示させる（Ｓ１１）。その後、この初期設定情報に基づいてこのテレビジョン受像機の初期設定（チャンネルサーチ）が行われる（Ｓ１５：設定工程）。【選択図】図２
2013135368.tif 000002
【特許請求の範囲】
【請求項１】
テレビジョン放送による画像が表示部で表示され、かつ複数の言語で記載されたその取扱説明書が言語毎に選択されて前記表示部で表示される構成を具備する映像表示装置の設定方法であって、
前記複数の言語に対応した複数の国の各々における放送インフラ情報を含む各国情報を予め前記映像表示装置内に記憶させ、
前記複数の言語のうちの一つを利用者に選択させる言語選択工程と、
当該言語選択工程で選択された一つの言語で記載された取扱説明書を前記表示部で表示させる取扱説明書表示工程と、
前記各国情報を読み出し、前記選択された一つの言語に対応する国における前記放送インフラ情報に基づき、前記テレビジョン放送の受信に関する設定を行う設定工程と、
を具備することを特徴とする映像表示装置の設定方法。
【請求項２】
前記放送インフラ情報には、前記複数の国の各々において使用されているテレビジョン放送の放送規格に関する情報が含まれ、
前記設定工程において、
前記言語選択工程で選択された一つの言語に対応する国における前記テレビジョン放送の放送規格に適合した信号を選択することにより、前記テレビジョン放送におけるチャンネルの設定を行う、
ことを特徴とする請求項１に記載の映像表示装置の設定方法。
【請求項３】
前記言語選択工程で選択された一つの言語を特定する言語情報が含まれる初期設定情報を前記映像表示装置内に記憶させることを特徴とする請求項１又は２に記載の映像表示装置の設定方法。
【請求項４】
前記設定工程の終了後において、利用者の操作によって、記憶された前記初期設定情報より前記言語情報を読み出し、当該言語情報に対応した言語で前記取扱説明書を前記表示部で表示させることを特徴とする請求項３に記載の映像表示装置の設定方法。
【請求項５】
前記設定工程以降において、記憶された前記初期設定情報より前記言語情報を読み出し、当該言語情報に対応した言語で前記表示部におけるオンスクリーン表示を行うことを特徴とする請求項３又は４に記載の映像表示装置の設定方法。
【請求項６】
複数の言語で記載された前記取扱説明書の文書ファイルは前記映像表示装置と別体の記憶媒体に記憶され、当該記憶媒体が前記映像表示装置に接続されることによって、前記言語選択工程を開始することを特徴とする請求項１から請求項５までのいずれか１項に記載の映像表示装置の設定方法。
【請求項７】
前記映像表示装置はテレビジョン受像機であることを特徴とする請求項１から請求項６までのいずれか１項に記載の映像表示装置の設定方法。
【請求項８】
テレビジョン放送による画像が表示部で表示され、かつ複数の言語で記載されたその取扱説明書が言語毎に選択されて前記表示部で表示される構成を具備する映像表示装置であって、
前記複数の言語に対応した複数の国の各々における放送インフラ情報を含む各国情報を予め記憶する記憶部と、
前記複数の言語のうちの利用者によって選択された一つの言語で記載された取扱説明書を前記表示部で表示させると共に、前記記憶部から前記各国情報を読み出し、前記選択された一つの言語に対応する国における前記放送インフラ情報に基づき、前記テレビジョン放送の受信に関する設定を行う制御部と、
を具備することを特徴とする映像表示装置。
【請求項９】
前記放送インフラ情報には、前記複数の言語に対応した複数の国の各々において使用されているテレビジョン放送の放送規格に関する情報が含まれ、
前記制御部は、
前記複数の言語のうちの利用者によって選択された一つの言語に対応する国における前記テレビジョン放送の放送規格に適合した信号を選択することにより、前記テレビジョン放送におけるチャンネルの設定を行う、
ことを特徴とする請求項８に記載の映像表示装置。
【請求項１０】
前記記憶部は、前記選択された一つの言語を特定する言語情報が含まれる初期設定情報を記憶することを特徴とする請求項８又は９に記載の映像表示装置。
【請求項１１】
前記制御部は、
利用者の操作によって、前記記憶部に記憶された前記初期設定情報より前記言語情報を読み出し、当該言語情報に対応した言語で前記取扱説明書を前記表示部で表示させることを特徴とする請求項１０に記載の映像表示装置。
【請求項１２】
前記制御部は、
前記記憶部に記憶された前記初期設定情報より前記言語情報を読み出し、当該言語情報に対応した言語で前記表示部におけるオンスクリーン表示を行うことを特徴とする請求項１０又は１１に記載の映像表示装置。
【請求項１３】
複数の言語で記載された前記取扱説明書の文書ファイルは前記映像表示装置と別体の記憶媒体に記憶され、
前記制御部は、前記記憶媒体が前記映像表示装置に接続されることによって、前記複数の言語のうちの一つの言語を利用者に選択させる動作を行わせることを特徴とする請求項８から１２までのいずれか１項に記載の映像表示装置。
【請求項１４】
テレビジョン受像機であることを特徴とする請求項８から請求項１３までのいずれか１項に記載の映像表示装置。
【発明の詳細な説明】
【技術分野】
【０００１】
本発明は、テレビジョン放送に基づく画像をディスプレイ（表示部）で表示させる映像表示装置、及びその設定方法に関する。
【背景技術】
【０００２】
例えば、欧州においては多数の国があり、使用言語やテレビジョン放送のチャンネル設定、テレビジョン放送に用いられる規格等は各国で異なる。こうした場合において用いられるテレビジョン受像機やＤＶＤプレイヤー等の映像表示装置（情報記録再生装置）においては、ハードウェア構成が同一とされたものが用いられ、初期設定が各国毎に適合して行われる。
【０００３】
このため、特許文献１には、ＯＳＤ（オンスクリーンディスプレイ：オンスクリーン表示）に用いる言語を自動設定することのできる情報記録再生装置（ＤＶＤプレイヤー等）が記載されている。この技術においては、受信したテレビジョン放送用信号を解析してその方式（ＰＡＬ−ＢＧ、ＰＡＬ−Ｉ、ＳＥＣＡＭ）を認識し、これによって使用する言語が自動的に設定される。この技術によれば、使用する言語の設定が自動的に行われるため、利用者にとってその設置作業が極めて容易となる。
【先行技術文献】
【特許文献】
【０００４】
【特許文献１】特開２００８−５２１４号公報
【発明の概要】
【発明が解決しようとする課題】
【０００５】
しかしながら、一般に、こうした装置を設置するに際しては、まず利用者が取扱説明書を読むことが前提である。このため、この取扱説明書は利用者の属する国や地方の標準言語で記載されていることが必要である。ところが、前記の通り、欧州では特に国の数が多いために、この言語は３０種類近くにもなる。このため、近年はこの取扱説明書は印刷されたものではなく、文書ファイルとして媒体に記憶された形態で設けられる場合が多い。こうした場合には、利用者は、このデータの中から所望の言語のものを選択してから、これを読んで作業を行う必要があった。
【０００６】
このため、特許文献１に記載の技術のように、ＯＳＤにおいて用いられる言語が自動的に選択されたとしても、実際には設置の際の利用者の負荷は必ずしも低減されなかった。
【０００７】
本発明は、かかる問題点に鑑みてなされたものであり、上記問題点を解決する発明を提供することを目的とする。
【課題を解決するための手段】
【０００８】
本発明は、上記課題を解決すべく、以下に掲げる構成とした。
本発明の映像表示装置の設定方法は、テレビジョン放送による画像が表示部で表示され、かつ複数の言語で記載されたその取扱説明書が言語毎に選択されて前記表示部で表示される構成を具備する映像表示装置の設定方法であって、前記複数の言語に対応した複数の国の各々における放送インフラ情報を含む各国情報を予め前記映像表示装置内に記憶させ、前記複数の言語のうちの一つを利用者に選択させる言語選択工程と、当該言語選択工程で選択された一つの言語で記載された取扱説明書を前記表示部で表示させる取扱説明書表示工程と、前記各国情報を読み出し、前記選択された一つの言語に対応する国における前記放送インフラ情報に基づき、前記テレビジョン放送の受信に関する設定を行う設定工程と、を具備することを特徴とする。
本発明の映像表示装置の設定方法において、前記放送インフラ情報には、前記複数の国の各々において使用されているテレビジョン放送の放送規格に関する情報が含まれ、前記設定工程において、前記言語選択工程で選択された一つの言語に対応する国における前記テレビジョン放送の放送規格に適合した信号を選択することにより、前記テレビジョン放送におけるチャンネルの設定を行う、ことを特徴とする。
本発明の映像表示装置の設定方法は、前記言語選択工程で選択された一つの言語を特定する言語情報が含まれる初期設定情報を前記映像表示装置内に記憶させることを特徴とする。
本発明の映像表示装置の設定方法は、前記設定工程の終了後において、利用者の操作によって、記憶された前記初期設定情報より前記言語情報を読み出し、当該言語情報に対応した言語で前記取扱説明書を前記表示部で表示させることを特徴とする。
本発明の映像表示装置の設定方法は、前記設定工程以降において、記憶された前記初期設定情報より前記言語情報を読み出し、当該言語情報に対応した言語で前記表示部におけるオンスクリーン表示を行うことを特徴とする。
本発明の映像表示装置の設定方法において、複数の言語で記載された前記取扱説明書の文書ファイルは前記映像表示装置と別体の記憶媒体に記憶され、当該記憶媒体が前記映像表示装置に接続されることによって、前記言語選択工程を開始することを特徴とする。
本発明の映像表示装置の設定方法において、前記映像表示装置はテレビジョン受像機であることを特徴とする。
本発明の映像表示装置は、テレビジョン放送による画像が表示部で表示され、かつ複数の言語で記載されたその取扱説明書が言語毎に選択されて前記表示部で表示される構成を具備する映像表示装置であって、前記複数の言語に対応した複数の国の各々における放送インフラ情報を含む各国情報を予め記憶する記憶部と、前記複数の言語のうちの利用者によって選択された一つの言語で記載された取扱説明書を前記表示部で表示させると共に、前記記憶部から前記各国情報を読み出し、前記選択された一つの言語に対応する国における前記放送インフラ情報に基づき、前記テレビジョン放送の受信に関する設定を行う制御部と、を具備することを特徴とする。
本発明の映像表示装置において、前記放送インフラ情報には、前記複数の言語に対応した複数の国の各々において使用されているテレビジョン放送の放送規格に関する情報が含まれ、前記制御部は、前記複数の言語のうちの利用者によって選択された一つの言語に対応する国における前記テレビジョン放送の放送規格に適合した信号を選択することにより、前記テレビジョン放送におけるチャンネルの設定を行う、ことを特徴とする。
本発明の映像表示装置において、前記記憶部は、前記選択された一つの言語を特定する言語情報が含まれる初期設定情報を記憶することを特徴とする。
本発明の映像表示装置において、前記制御部は、利用者の操作によって、前記記憶部に記憶された前記初期設定情報より前記言語情報を読み出し、当該言語情報に対応した言語で前記取扱説明書を前記表示部で表示させることを特徴とする。
本発明の映像表示装置において、前記制御部は、前記記憶部に記憶された前記初期設定情報より前記言語情報を読み出し、当該言語情報に対応した言語で前記表示部におけるオンスクリーン表示を行うことを特徴とする。
本発明の映像表示装置において、複数の言語で記載された前記取扱説明書の文書ファイルは前記映像表示装置と別体の記憶媒体に記憶され、前記制御部は、前記記憶媒体が前記映像表示装置に接続されることによって、前記複数の言語のうちの一つの言語を利用者に選択させる動作を行わせることを特徴とする。
本発明の映像表示装置は、テレビジョン受像機であることを特徴とする。
【発明の効果】
【０００９】
本発明は以上のように構成されているので、映像表示装置の設置の際の利用者の負荷を低減することができる。
【図面の簡単な説明】
【００１０】
【図１】本発明の実施の形態となるテレビジョン受像機の構成を示す図である。
【図２】本発明の実施の形態となるテレビジョン受像機における設置後の動作を示すフローチャートである。
【図３】本発明の実施の形態となるテレビジョン受像機における設置後の動作時の表示部に表示される画像である。
【図４】本発明の実施の形態となるテレビジョン受像機において初期設定後に再度取扱説明書を見る場合の動作を示すフローチャートである。
【発明を実施するための形態】
【００１１】
以下、本発明の実施の形態となる映像表示装置及びその設定方法につき説明する。この映像表示装置は、ＯＳＤ（オンスクリーンディスプレイ：オンスクリーン表示）が用いられるものであり、ここではテレビジョン受像機について説明する。このテレビジョン受像機においては、多言語で記載されたその取扱説明書が用いられる。この取扱説明書の文書ファイルは、テレビジョン受像機本体とは別体の記憶媒体に記録されている。
【００１２】
このテレビジョン受像機を設置するに際しては、利用者は、この記憶媒体をテレビジョン受像機に接続して、その言語を選択してからテレビジョン受像機のディスプレイ（表示部）で取扱説明書を読むことができる。この選択された言語の情報はテレビジョン受像機に記憶され、以降に行われるテレビジョン受像機の初期設定や、再度の取扱説明書へのアクセスの際に用いられる。これにより、利用者の利便性を高めることができる。
【００１３】
図１は、このテレビジョン受像機１０の構成を示す。このテレビジョン受像機１０においては、全体が制御部（ＣＰＵ）１１によって制御される。このテレビジョン受像機１０に対する外部からのデータの授受は、外部入力部１２を介して、外部入力２０によって行われる。外部入力２０としては、記憶媒体として、ＵＳＢ（Ｕｎｉｖｅｒｓａｌ  Ｓｅｒｉａｌ  Ｂｕｓ）メモリ等が用いられる。
【００１４】
また、利用者がこのテレビジョン受像機１０と別体のリモートコントローラ（リモコン送信機）３０の操作キーを適宜操作することにより、テレビジョン受像機１０の操作を行うことができる。リモートコントローラ３０は、このテレビジョン受像機１０を制御する信号（例えば電源のオンオフ信号、チャンネル制御信号、音量制御信号や各種パラメータの設定信号）を例えば赤外線信号として発する。この赤外線信号をリモコン受光部１３が受信し、受信した信号に対応した制御信号を生成して、制御部１１に伝える。制御部１１は、この制御信号に基づいてテレビジョン受像機１０の制御を行う。
【００１５】
また、映像処理部１４によって、アンテナから受信したテレビジョン放送信号から映像信号と音声信号が復調され、映像信号が表示制御部１５で調整された後に、この画像信号に基づいた表示が液晶表示部（ディスプレイ：表示部）１６で行われる。なお、このテレビジョン受像機１０においては、受信するテレビジョン放送信号を選択する選局部や、音声信号によって音声出力を行う音声出力部等も具備するが、これらは本願発明と直接関係がなく一般的なものとなるため、図１における記載は省略している。
【００１６】
液晶表示部１６においては、このテレビジョン受像機１０の制御に関わる表示も表示することができる。このためには、制御部１１は、この制御に関わる表示（ＯＳＤ：オンスクリーン表示）の映像信号をＯＳＤ処理部１７に作成させる。この映像信号も映像処理部１４に入力され、テレビジョン放送に基づく画像と同時に、あるいはテレビジョン放送に基づく画像表示と切り換えることにより、液晶表示部１６で表示させる。また、外部入力２０から得た情報（例えば取扱説明書）についても、同様にＯＳＤ処理部１７を介して液晶表示部１６で表示することができる。
【００１７】
また、このテレビジョン受像機１０における各種のパラメータは、メモリ（記憶部）１８において記憶される。メモリ１８は不揮発性メモリで構成され、電源が切断されてもこれらのパラメータを記憶している。このため、このテレビジョン受像機１０の電源がオンされる度に、制御部１１はメモリ１８から記憶された情報を読み出し、テレビジョン受像機１０の設定を行うことができる。
【００１８】
また、このテレビジョン受像機１０は、複数の国で使用されることを前提とされる。このため、ＯＳＤに用いられる言語は各国で異なるものとされる。また、このテレビジョン受像機１０が最初に設置される際には、まず利用者（あるいは設置業者）は、このこのテレビジョン受像機１０の取扱説明書を見る。この取扱説明書は、テレビジョン受像機１０と別体のＵＳＢメモリ（外部入力２０）中に文書ファイルとして記憶されている。このため、利用者は、外部入力２０をこのテレビジョン受像機１０に接続し、取扱説明書を液晶表示部１６で表示させ、読むことができる。取扱説明書には、このテレビジョン受像機１０に対する各種のケーブル線（アンテナ線や信号線）、端子の接続等について記載されている。これらがまだ接続されていない状態においても、利用者は取扱説明書を液晶表示部１６で見ることができる。また、各ケーブル線、端子が正しく接続されていない場合、制御部１１はこれを認識し、その旨を液晶表示部１６に表示させることもできる。
【００１９】
外部入力２０において、取扱説明書は複数の言語で記載されている。あるいは、複数の言語毎の取扱説明書が文書ファイルとして外部入力２０に記憶されている。このため、例えば言語毎のフォルダに各国毎の取扱説明書の文書ファイルが設けられた設定とすることができる。例えば、このテレビジョン受像機１０が欧州で使用される場合、この言語の種類を３０種類近くとすることもできる。このため、利用者がこの取扱説明書を読む際には、この言語が一つ選択される。このテレビジョン受像機１０においては、この際に選択された言語がどれであるかの情報（言語情報）は、メモリ１８に記憶される。この言語情報は、このテレビジョン受像機１０の初期設定や、利用者が取扱説明書を再度読む場合等に用いられる。
【００２０】
また、メモリ１８には、初期設定の前に予め各国情報が記憶されている。各国情報とは、言語毎に、国情報（例えばイタリア語に対応してイタリア）と放送インフラ情報が対応付けられた情報である。ここで、放送インフラ情報とは、対応する国においてこのテレビジョン受像機１０が受信可能であるテレビジョン放送に関する情報であり、例えば、当該国における放送規格に関する情報として、アナログ放送の有無、使用されているデジタル放送の規格（ＤＶＢ−Ｔ、ＤＶＢ−Ｔ２、ＤＶＢ−Ｓ、ＤＶＢ−Ｓ２等）等がある。この放送インフラ情報は、初期のチャンネル設定（チャンネルサーチ）において用いられる。
【００２１】
チャンネル設定においては、このテレビジョン受像機１０がテレビジョン放送を受信可能な状態とされた後に、制御部１１が選局部等を操作してチャンネルサーチを行う。チャンネルサーチにおいては、受信周波数が自動的に走査され、テレビジョン放送用の信号が認識された周波数とチャンネル、チャンネル情報（局名）等を対応付けて設定した情報（チャンネル情報）がメモリ１８に記憶される。チャンネル情報が記憶された後は、このチャンネル情報に基づいたチャンネルを利用者が選択することにより、選局動作が行われる。
【００２２】
図２は、このテレビジョン受像機１０を設置する際に、設置後に電源が初めて投入され、通常使用ができるまでの動作を示すフローチャートである。また、図３は、この際の表示の状況を模式的に示す図である。ここでは、まず、取扱説明書が表示され、その後で初期設定動作が行われる。
【００２３】
まず、図３（ａ）に示されるように、このテレビジョン受像機１０においては、その前面の大部分が液晶表示部１６で構成されている。このテレビジョン受像機１０に最初に電源を投入する際（初期起動）には、図３（ｂ）に示されるように、外部入力２０（ＵＳＢメモリ）を接続する（Ｓ１）。これにより、制御部１１は、外部入力２０が接続されていることを認識し（Ｓ２）、この中に取扱説明書の文書ファイルが存在することを確認する（Ｓ３）。外部入力２０が認識できない、あるいは外部入力２０中に取扱説明書の文書ファイルが確認されない場合には、処理を進めず、適切な外部入力２０（ＵＳＢメモリ）を接続すべき旨を液晶表示部１６に表示させることができる。
【００２４】
取扱説明書の文書ファイルが確認できたら（Ｓ３）、制御部１１は、外部入力２０中に記憶されている取扱説明書の文書ファイルにおいて、どの言語に対応した文書ファイルが存在しているかを認識する。これにより、図３（ｃ）に示されるように、制御部１１はＯＳＤ処理部１７を制御し、液晶表示部１６において、言語を選択させる一覧画面を表示させる（Ｓ４）。なお、ここで便宜上表示には日本語を用いているが、実際には表示を全て英語、あるいは「英語」、「独語」、「伊語」等をそれぞれの言語で表示することが好ましい。利用者は、この画面を見て、例えばリモートコントローラ３０の操作キー、例えば十字キーを操作して、一つの言語を選択する（Ｓ５：言語選択工程）。図３（ｄ）では、イタリア語（伊語）が選択されている。制御部１１は、この選択されたデータ（言語情報）を認識する（Ｓ６）。
【００２５】
その後、制御部１１は、この入力された言語情報（ここではイタリア語）に対応する取扱説明書の文書ファイルをテレビジョン受像機１０のメインメモリにロードする。なお、このメインメモリは、前記のメモリ１８とは別に具備するものであり、不揮発性である必要はない。その後、図３（ｅ）に示されるように、液晶表示部１６においてイタリア語で表示された取扱説明書を表示する（Ｓ７：取扱説明書表示工程）。なお、図３における（ｅ）以降の表示では便宜上日本語を用いているが、実際にはこれらの表示にはイタリア語を用いているものとする。
【００２６】
利用者は、リモートコントローラ３０の十字キー等を用いて適宜画面をスクロールし、取扱説明書を読むことができる。なお、ここで、ここで選択した言語が適切ではないと利用者が判断した場合（Ｓ８）、利用者は、リモートコントローラ３０の操作キーを適宜操作して、再び言語の選択（Ｓ５）を行うこともできる。この動作は、所望の言語がみつかるまで行うことができる。
【００２７】
適正に言語が選択されたと認められた場合（Ｓ８）、制御部１１は、この言語に対応した国情報、放送インフラ情報を、メモリ１８に記憶された各国情報から読み出す（Ｓ９）。その後、液晶表示部１６における取扱説明書の表示を終了し（Ｓ１０）、選択された言語と、読み出された国情報、放送インフラ情報に基づいた初期設定情報を代わりに表示させる（Ｓ１１）。初期設定情報とは、このテレビジョン受像機１０の初期設定を効率的に行う上で有効となる各種の情報である。なお、以降は外部入力２０は不要となるため、ここで外部入力２０を取り外す指示を液晶表示部１６に表示させてもよい。
【００２８】
図３（ｆ）は、この初期設定情報に関わる表示を行った例である。ここで用いられる初期設定情報としては、（１）設置されている国、（２）言語、（３）チャンネルサーチの条件、がある。制御部１１は、メモリ１８に記憶された各国情報より、「イタリア語」に対応する国が「イタリア」であり、その放送インフラ情報より、イタリアではアナログ放送が停波していること、ＤＶＢ−Ｓ規格に適応したデジタル放送が受信可能であること、を認識する。このため、図３（ｆ）に示されるように、制御部１１は、ＯＳＤ処理部１７を制御して、液晶表示部１６に、（１）このテレビジョン受像機１０が設置されている国がイタリアであること、（２）今後の表示で使用される言語をイタリア語とすることを表示させる。また、（３）チャンネルサーチの条件として、（３−１）アナログ放送に対応するチャンネルサーチは行わないこと、（３−２）ＤＶＢ−Ｓ規格によるチャンネルサーチを行うこと、がデフォールトとして設定された旨を表示する（Ｓ１１）。更に、この設定でよいかどうかの確認を利用者に行わせる。
【００２９】
利用者は、この設定を変えたい場合には、この設定を変更することができる（Ｓ１２、Ｓ１３）。例えば、表示はイタリア語としたいが国をドイツとしたい場合には、リモートコントローラ３０における十字キーを操作して、国設定を「ドイツ」に変更することができる。この場合、制御部１１は、メモリ１８に記憶された各国情報より、ドイツに関するデータを読み出し、（１）設定国がドイツであること、（３−１）（３−２）等で、ドイツ国内で受信可能な放送に適したチャンネルサーチ範囲を、図３（ｆ）と同様に、改めて表示する。
【００３０】
あるいは、図３（ｆ）の表示において、例えば（１）（２）の表示はそのまま（イタリア、イタリア語）でよいが、（３−１）アナログ放送に対応するチャンネルサーチも行うこと、としたい場合にも、上記と同様に、リモートコントローラ３０における十字キーを操作して、アナログ放送に対応するチャンネルサーチも行う設定とすることが可能である。
【００３１】
ただし、メモリ１８が予め記憶していた各国情報が適正であれば、こうした変更が必要となる蓋然性は極めて低い。
【００３２】
最終的に図３（ｆ）の表示が利用者の希望通りとなったら（Ｓ１２）、利用者がリモートコントローラ３０における決定キーを操作すれば、この表示通りの情報が初期設定情報としてメモリ１８に記憶される（Ｓ１４）。
【００３３】
その後、この初期設定情報に基づいてこのテレビジョン受像機１０の初期設定（チャンネルサーチ）が行われる（Ｓ１５：設定工程）。ここでは、初期設定情報が図３（ｆ）の通りであれば、アナログ放送に対応するサーチは行われず、ＤＶＢ−Ｓ規格に準拠した放送信号が認識され、認識された放送信号とチャンネルとの間が設定付けられたチャンネル情報が作成される。その後、このチャンネル情報がメモリ１８に記憶され、このテレビジョン受像機１０の初期設定が終了する。この間、液晶表示部１６には、現在設定中である旨が表示される（図３（ｇ））。この際、初期設定情報の設定が適切になされていれば、効率的にチャンネルサーチを行うことができる。
【００３４】
その後、利用者がこのテレビジョン受像機１０を操作するに際しては、このチャンネル情報が利用され、通常の使用ができる（Ｓ１６、図３（ｈ））。すなわち、チャンネルの選択によって選局されたテレビジョン番組の画像を液晶表示部１６で表示させることができる。
【００３５】
以上の手順により、このテレビジョン受像機１０においては、利用者が取扱説明書の言語を選択しただけで、初期設定までの操作が確実かつ効率的に行われる。このため、設置の際の利用者の負荷が大幅に低減される。
【００３６】
また、初期設定終了後に、利用者が取扱説明書を再度見る必要がある場合もある。図４は、この場合における動作を示すフローチャートである。この場合には、図３（ｂ）と同様に再び外部入力２０をこのテレビジョン受像機１０に接続すると（Ｓ２１）、制御部１１が外部入力２０を認識し（Ｓ２２）、この中に取扱説明書の文書ファイルが存在することを確認する（Ｓ２３）。その後、制御部１１は、外部入力２０に記憶された取扱説明書を、メモリ１８に記憶された初期設定情報中の言語情報に対応する言語で表示させることができる（Ｓ２４）。すなわち、利用者が一度初期設定情報を設定すれば、これに応じて取扱説明書を適正に表示させることができる。この場合には、外部入力２０がこのテレビジョン受像機１０に接続された際に、メモリ１８に初期設定情報が記憶されている場合には、前記の言語選択工程ではなく、この初期設定情報から言語情報を読み出して、取扱説明書表示工程を開始する設定とすることができる。この場合、取扱説明書の表示に使用する言語の設定を再度行う必要がない。
【００３７】
ただし、利用者が初期設定時と異なる言語で取扱説明書を見たい場合（Ｓ２５）には、リモートコントローラ３０における操作キーを適宜操作することによって再び図３（ｃ）の画面を表示させ、同様に言語を再設定することができる（Ｓ２６）。この新たに設定された言語で取扱説明書を液晶表示部１６で再表示させる（Ｓ２７）。その後、メモリ１８における初期設定情報中の言語のみをこの新たな言語に再設定して更新し（Ｓ２８）、その後、取扱説明書の表示を終了させ（Ｓ２９）、通常使用させる、すなわち、選局されたテレビジョン番組の画像を液晶表示部１６で表示させることができる。なお、一時的に初期設定時と異なる言語で取扱説明書を見たい場合には、初期設定情報の更新（Ｓ２８）は不要である。この選択を利用者が行うようにすることも可能である。
【００３８】
このように、このテレビジョン受像機１０においては、その初期設定時だけでなく、その後においても、初期設定情報中の言語情報を用いることができる。取扱説明書を再度読む場合だけでなく、通常使用する際に行われる様々な操作、例えば音量調整や画面設定等においても、液晶表示部１６でなされる表示（ＯＳＤ）の際にもこの言語情報を用い、初期設定時に用いた言語で表示を行うことができる。
【００３９】
なお、上記の例では設定工程においてチャンネルサーチが行われる例について記載したが、国毎に行うことが必要な設定内容であれば、この設定内容に関わる情報を各国情報に含ませることができる。これにより、この設定を特に容易に行うことができることは明らかである。また、初期設定情報にこの情報を含ませ、設定後にこの情報を使用することも可能である。
【００４０】
逆に、単に初期設定を容易に行うというだけの目的であれば、初期設定情報をメモリ１８に記憶させる必要はない。利用者に言語を選択させ、この言語で取扱説明書を表示させ、必要となる初期設定情報を各国情報から読み出し、これを用いて初期設定を行うという動作を行うだけで充分な効果を奏する。
【００４１】
また、取扱説明書の文書ファイルはＵＳＢメモリに記憶されているものとしたが、他の記憶媒体であっても同様の構成が実現できることは明らかである。更に、別体とされた記憶媒体が用いられず、取扱説明書の文書ファイルが映像表示装置の本体内に記憶されている場合においても同様である。また、上記の例では、ＵＳＢメモリをテレビジョン受像機に接続することによって、言語選択工程を開始させる（図２）、取扱説明書表示工程を開始させる（図４）、という動作を行ったが、利用者による他の操作、例えば、リモートコントローラの特定の操作キーを操作することによって、こうした動作を行う設定とすることもできる。
【００４２】
また、上記の例では、液晶表示部（表示部）を具備するテレビジョン受像機について記載したが、同様にテレビジョン放送を受信できるものであれば、表示部が本体と別体とされた映像表示装置であっても、同様の構成を実現できることは明らかである。例えば、特許文献１に記載されたような情報記録再生装置（ＤＶＤプレイヤー等）であっても同様である。
【符号の説明】
【００４３】
１０  テレビジョン受像機
１１  制御部（ＣＰＵ）
１２  外部入力部
１３  リモコン受光部
１４  映像処理部
１５  表示制御部
１６  液晶表示部（表示部）
１７  ＯＳＤ処理部
１８  メモリ（記憶部）
２０  外部入力
３０  リモートコントローラ（リモコン送信機）
【図１】
2013135368.tif 000003
【図２】
2013135368.tif 000004
【図３】
2013135368.tif 000005
【図４】
2013135368.tif 000006